(57)【要約】【課題】簡略且つ小型の構成で洗い残しや洗浄ムラの発生を防止する。【解決手段】底部フレーム１上に洗浄室６を有する洗浄用ケース１００の底面２に回転軸１１が貫通して下部を駆動装置により駆動し、上端に回転軸の直径方向に延びる回転板１２を固定した回転駆動機構９を設け、下面に備えた自在車輪１６で走行可能な台フレーム１７上に介護用機器を収容可能な篭体１８を備えたケージ台車２００の下部に突出され、ケージ台車が洗浄室に進入する際に回転板の長手方向両側面に係合するガイド板と、ケージ台車の中心が回転軸の軸線上に到達すると回転板の前後端に係合してケージ台車の移動を拘束する係止部材と、係止部材の係合を解除する係合解除フレームとを有する係脱機構を設け、洗浄室内に備えて回転軸の軸線Ｓに向かい且つ洗浄室内の上下をカバーするようカーテン状に洗浄液を噴射する噴射ノズル３４を設ける。【選択図】図１
2011067722.tif 000002
【特許請求の範囲】
【請求項１】
側面に開閉扉を備えた洗浄室を底部フレーム上に有する洗浄用ケースと、
前記洗浄室の底面を垂直に貫通して回転可能に支持された回転軸と、底面上に突出する回転軸の上端に直径方向に延びて固定した回転板と、洗浄用ケースに備えて前記回転軸を回転する駆動装置とを有する回転駆動機構と、
自在車輪により走行可能な台フレーム上に介護用機器を収容可能な篭体が固定され、前記洗浄用ケース内に進入が可能なケージ台車と、
前記台フレームの中央下部に突出して備えられ、ケージ台車が洗浄用ケースに進入する際に前記回転板の長手方向両側面に係合するガイド板と、ケージ台車の中心が前記回転軸の軸線上に到達したときに前記回転板の前後端に係合してケージ台車の移動を拘束する係止部材と、回転板に対する係止部材の係合を解除する係合解除フレームとを有する係脱機構と、
前記洗浄室内に備えられ、前記回転軸の軸線に向かい且つ洗浄室内の上下をカバーするようにカーテン状に洗浄液を噴射する少なくとも１つの噴射ノズルと、
を備えたことを特徴とする介護用機器の洗浄装置。
【請求項２】
前記洗浄用ケース内に、前記回転軸の軸線に向かい且つ洗浄室内の上下をカバーするようにカーテン状に洗剤液を噴射する少なくとも１つの洗剤液ノズルを有することを特徴とする請求項１に記載の介護用機器の洗浄装置。
【請求項３】
前記洗浄用ケース内に、前記回転軸の軸線に向かい且つ洗浄室内の上下をカバーするようにカーテン状に乾燥用エアを噴射するブロアノズルを有することを特徴とする請求項１又は２に記載の介護用機器の洗浄装置。
【請求項４】
前記回転板に対する係止部材の嵌合を解除するロック解除フレームを、ガイド板の長手方向であるケージ台車の前後に対称に備えたことを特徴とする請求項１に記載の介護用機器の洗浄装置。
【請求項５】
前記洗浄用ケージの周壁を形成する側面に、ケージ台車が通り抜けできるように開閉扉を前後に対称に備えていることを特徴とする請求項１に記載の介護用機器の洗浄装置。
【発明の詳細な説明】
【技術分野】
【０００１】
本発明は介護用機器の洗浄装置に関し、具体的には介護用ベッド、車椅子、リフト、歩行補助具等を洗浄するのに用いられる介護用機器の洗浄装置に関する。
【背景技術】
【０００２】
近年、高齢化に伴い介護用機器の開発・生産が盛んに行われるようになってきている。一方、介護用機器を大量に使用する介護施設や病院等では、人手不足等の問題から、介護用機器を定期的に洗浄して衛生を保つといったことが困難であり、このために介護用機器の多くはレンタル業者から借りて使用しているのが現状である。
【０００３】
このためにレンタル業者では、介護施設や病院等から引き取った大量の介護用機器を洗浄・乾燥等した後に再び貸し出すようにしている。
【０００４】
従来、介護用機器を洗浄する作業は、マットレスを取り外した介護用ベッド、車椅子、リフト、歩行補助具等の介護用機器に、或いは、所要の部品に分解した介護用機器に、作業者が洗剤液を塗布した後、ハンドタイプの高圧噴射ノズル等を用いて洗浄液（水）を噴射することにより洗浄を行い、又、汚れが落ちない箇所がある場合には清拭等を行って人力による洗浄を行っていた。
【０００５】
しかし、介護用機器を人力で洗浄する場合、複雑な構造部分を綺麗に洗浄する作業は非常に大変であり、洗浄作業に多大の労力を要する問題がある共に、洗浄作業に長時間を要し、更に、洗浄結果に個人差が生じるといった問題を有していた。
【０００６】
又、近年では、車椅子やマットレスを取り外した介護用ベッド等の介護用機器を収容できる形状の洗浄用ケースを備えると共に、該洗浄用ケース内部に複数の噴射ノズルを固定して備え、洗浄用ケースの内部に介護用機器を収容した後、複数の噴射ノズルから洗浄液を噴射することにより洗浄を行うようにしたものが提案されている。
【０００７】
しかし、このように洗浄用ケース内に固定した複数の噴射ノズルから洗浄液を噴射するのみでは、高圧水が到達しない影の部分が介護用機器に生じて洗い残しや洗浄ムラを生じやすく、従って、多数の噴射ノズルから大量の洗浄液を噴射しても均一な洗浄が難しいという問題を有していた。
【０００８】
このような問題を解決するために、被洗浄物が出入可能となるように分割して開閉されるケースと、被洗浄物に向けて洗浄液を噴射する少なくとも１以上の噴射ノズルと、前記ケースに設けられ前記噴射ノズルを回転させつつ前記噴射ノズルに洗浄液を供給する回転アームと、該回転アームを前記被洗浄物の洗浄面に対して略々平行に回転させながら前記洗浄面に沿って移動させる回転移動手段とを備えた洗浄装置がある（特許文献１参照）。
【先行技術文献】
【特許文献】
【０００９】
【特許文献１】特開２００６−１０２５６０号公報
【発明の概要】
【発明が解決しようとする課題】
【００１０】
上記特許文献１に介護用機器の洗浄装置では、噴射ノズルを回転可能に備えた回転アームを、噴射ノズルを回転させながら被洗浄物の洗浄面に対して略々平行に移動させるようにしているので、少ない噴射ノズル数で被洗浄物の全面に亘り洗浄液を噴射して洗い残しや洗浄ムラを低減できる効果がある一方、噴射ノズルに洗浄液を供給しつつ噴射ノズルを回転させると共に回転アームを移動させるために、構造が非常に複雑且つ大掛りとなり、そのために装置高価が増大すると共に、故障が生じ易くなり、メンテナンスが大変になるという問題がある。
【００１１】
本発明は、斯かる実情に鑑みてなしたもので、装置構成が簡略且つ小型で洗い残しや洗浄ムラの発生を防止して効果的な洗浄を行えるようにした介護用機器の洗浄装置を提供しようとするものである。
【課題を解決するための手段】
【００１２】
請求項１に係る発明は、側面に開閉扉を備えた洗浄室を底部フレーム上に有する洗浄用ケースと、
前記洗浄室の底面を垂直に貫通して回転可能に支持された回転軸と、底面上に突出する回転軸の上端に直径方向に延びて固定した回転板と、洗浄用ケースに備えて前記回転軸を回転する駆動装置とを有する回転駆動機構と、
自在車輪により走行可能な台フレーム上に介護用機器を収容可能な篭体が固定され、前記洗浄用ケース内に進入が可能なケージ台車と、
前記台フレームの中央下部に突出して備えられ、ケージ台車が洗浄用ケースに進入する際に前記回転板の長手方向両側面に係合するガイド板と、ケージ台車の中心が前記回転軸の軸線上に到達したときに前記回転板の前後端に係合してケージ台車の移動を拘束する係止部材と、回転板に対する係止部材の係合を解除する係合解除フレームとを有する係脱機構と、
前記洗浄室内に備えられ、前記回転軸の軸線に向かい且つ洗浄室内の上下をカバーするようにカーテン状に洗浄液を噴射する少なくとも１つの噴射ノズルと、
を備えたことを特徴とする介護用機器の洗浄装置、に係るものである。
【００１３】
請求項２に係る発明は、前記洗浄用ケース内に、前記回転軸の軸線に向かい且つ洗浄室内の上下をカバーするようにカーテン状に洗剤液を噴射する少なくとも１つの洗剤液ノズルを有することを特徴とする請求項１に記載の介護用機器の洗浄装置である。
【００１４】
請求項３に係る発明は、前記洗浄用ケース内に、前記回転軸の軸線に向かい且つ洗浄室内の上下をカバーするようにカーテン状に乾燥用エアを噴射するブロアノズルを有することを特徴とする請求項１又は２に記載の介護用機器の洗浄装置である。
【００１５】
請求項４に係る発明は、前記回転板に対する係止部材の嵌合を解除するロック解除フレームを、ガイド板の長手方向であるケージ台車の前後に対称に備えたことを特徴とする請求項１に記載の介護用機器の洗浄装置である。
【００１６】
請求項５に係る発明は、前記洗浄用ケージの周壁を形成する側面に、ケージ台車が通り抜けできるように開閉扉を前後に対称に備えていることを特徴とする請求項１に記載の介護用機器の洗浄装置である。
【発明の効果】
【００１７】
本発明の介護用機器の洗浄装置によれば、介護用機器を篭体に収容したケージ台車を自在車輪により移動させて洗浄用ケース内に進入させると、ケージ台車に備えた係脱機構が洗浄用ケースに備えた回転駆動機構の回転軸の回転板に係合するので、駆動装置を駆動すると回転板の回転が回転板とガイド板を介してケージ台車に伝えられ、よってケージ台車は回転軸を中心に底面上に沿って自在車輪により回転するようになる。このとき、噴射ノズルにより洗浄液を噴射すると、洗浄液は回転軸の軸線に向かい且つ洗浄室内の上下をカバーするようにカーテン状に噴射されるので、少ないノズル数でしかも簡略且つ小型の構成によって介護用機器に影の部分による洗い残しや洗浄ムラが生じることなく効果的な洗浄が行えるという優れた効果を奏し得る。
【図面の簡単な説明】
【００１８】
【図１】本発明を構成する洗浄用ケース内にケージ台車が進入した状態を示す正面図である。
【図２】図１をＩＩ−ＩＩ方向から見た平面図である。
【図３】図１をＩＩＩ−ＩＩＩ方向から見た側面図である。
【図４】図１の洗浄用ケースに備えられる回転駆動機構の一部を示す側面図である。
【図５】ケージ台車の一例を示す平面図である。
【図６】図５をＶＩ−ＶＩ方向から見た正面図である。
【図７】図５をＶＩＩ−ＶＩＩ方向から見た側面図である。
【図８】篭体の平面図である。
【図９】図８をＩＸ−ＩＸ方向から見た断面図である。
【図１０】洗浄用ケース内にケージ台車が進入する状態を示す側面図である。
【図１１】ケージ台車の進入により奥側の係止部材が回転板の一端部に当接する状態を示す側面図である。
【図１２】ケージ台車の進入により奥側の係止部材の傾斜面よって回転板の一端部上に乗り上げた状態を示す側面図である。
【図１３】ケージ台車の進入により奥側の係止部材が回転板上を滑って移動する状態を示す側面図である。
【図１４】ケージ台車の進入により奥側の係止部材が回転板の他端部から落下し、奥側の係止部材と手前側の係止部材によりケージ台車の移動を拘束する状態を示す側面図である。
【発明を実施するための形態】
【００１９】
以下、本発明の実施の形態を図示例と共に説明する。
【００２０】
図１は本発明を構成する洗浄用ケース１００内にケージ台車２００が進入した状態を示す正面図であり、図２は図１をＩＩ−ＩＩ方向から見た平面図、図３は図１をＩＩＩ−ＩＩＩ方向から見た側面図である。
【００２１】
洗浄用ケース１００は、図１〜図３に一例を示すように、底部フレーム１上に、底面２と、開閉扉３を備えて周壁を形成する側面４と、天井壁を形成する天井面５とにより気密が保持された平面形状が正四角形の洗浄室６を有しており、更に、洗浄室６の側部には該洗浄室６と区画された機械室７を有している。図２に示した開閉扉３は、前記機械室７と直角を成している前後の側面４に、洗浄室６内に折れ曲がって開く中折れ扉３ａ，３ｂ（アコーディーン扉）を左右に配置した場合を示しており、従って、ケージ台車２００は前後の開閉扉３を開くことにより洗浄用ケース１００内を矢印Ａ方向に通り抜けできるようになっているが、開閉扉３は側面に対して１箇所以上備えていればよく、又、開閉扉３には種々の方式のものを採用することができる。又、図２、図３に示すように、ケージ台車２００の底部フレーム１の前後には、ケージ台車２００をケージ台車２００内に対して容易に進入・取り出しできるようにスロープ８が設けられている。
【００２２】
更に、前記洗浄用ケース１００の底部には回転駆動機構９が設けられている。この回転駆動機構９は、図４にその一例を示すように、洗浄用ケース１００の底面２を垂直に貫通して軸受１０により底部フレーム１に回転可能に支持された回転軸１１と、底面２から突出している回転軸１１の上端に直径方向に延びて鉛直に固定された回転板１２と、底面２より下部の回転軸１１に備えたホイール１３をチェーン等の動力伝達材１４を介して駆動するよう図２、図３の機械室７内に配置した駆動装置１５とにより構成している。
【００２３】
図５は前記ケージ台車２００の一例を示す平面図、 図６は図５をＶＩ−ＶＩ方向から見た正面図、図７は図５をＶＩＩ−ＶＩＩ方向から見た側面図である。ケージ台車２００は、図５〜図７に示すように、下面の四隅に自在車輪１６を備えて走行が可能な平面正四角形の台フレーム１７と、該台フレーム１７上に固定されて図示しない介護用機器を収容可能な篭体１８とを有しており、前記ケージ台車２００は前記洗浄用ケース１００内に収容できる大きを有している。
【００２４】
更に、ケージ台車２００の底部には係脱機構１９が設けられている。この係脱機構１９は、図５に示す台フレーム１７の左右中間位置に、前記回転板１２に嵌合できる小さい間隔２０を有し且つ前記回転板１２よりも長い長さを有する２枚のガイド板２１を固定している。更に、ガイド板２１の前後（図５では上下）には、外側に向かって間隔２０が大きくなるようにハの字状に傾斜した誘導板２２，２２’を設けている。更に、前記ガイド板２１における間隔２０の前後端部間にはアーム２４によって連結された手前側の係止部材２３と奥側の係止部材２３’が設けてあり、手前側の係止部材２３は手前側に向かい上側に向かって傾斜した傾斜面２３ａを有し、又、奥側の係止部材２３’は奥側に向かい上側に向かって傾斜した傾斜面２３ａを有しており、前記アーム２４は長さ方向中心部に設けた取り付けピン２５によって台フレーム１７に対して上下方向に回動可能に支持されている。
【００２５】
更に、前記係脱機構１９は、台フレーム１７の前記ガイド板２１を挟む位置に、ガイド板２１と平行で且つ支点２６を中心に上下に回動可能な手前側の係合解除フレーム２７と奥側の係合解除フレーム２８を有しており、手前側の係合解除フレーム２７の奥側端は台フレーム１７の構成材を避けるように傾斜した連結部材２７ａを介して奥側の係止部材２３’に連結されていて、手前側端にはペダル２７ｂが備えられている。又、奥側の係合解除フレーム２８の手前側端は台フレーム１７の構成材を避けるように傾斜した連結部材２８ａを介して手前側の係止部材２３に連結されていて、奥側端にはペダル２８ｂが備えられている。従って、係止部材２３，２３’に力が作用しない状態では、係止部材２３，２３’は同じ高さに保持され、アーム２４は水平となっている。図７中、１６’は台フレーム１７の左右側下面の前後中間位置において、前記自在車輪１６よりも上部に設けた補助車輪である。
【００２６】
従って、図５のケージ台車２００を図２の洗浄用ケース１００の底面２上に進入させると、進入方向奥側の誘導板２２’が図２の回転板１２の手前側端部に当接することで誘導板２２’によってケージ台車２００の向きと位置が修正され、ガイド板２１の間隔２０が回転板１２の端部に嵌合するようになる。更に、ケージ台車２００の進入により奥側の係止部材２３’が傾斜面２３ａによって回転板１２の端部上に乗り上げるようになるためアーム２４が傾斜した状態で係止部材２３’は回転板１２上を滑って移動し、奥側の係止部材２３’が回転板１２の奥側端部を通り抜けると支えを無くすことにより落下し、これにより、回転板１２の奥側と手前側に係止部材２３，２３’が位置することでケージ台車２００の移動は拘束され、同時に、ガイド板２１が回転板１２の両側面を挾持することにより、ケージ台車２００は回転軸１１と共に回転できるように連結される。
【００２７】
一方、例えば、前記奥側のペダル２８ｂを足で踏み下げると、奥側の係合解除フレーム２８が支点２６を中心に回動し連結部材２８ａを介して手前側の係止部材２３が上昇され、係止部材２３が回転板１２の手前側端部から外れるので、ケージ台車２００は奥側に引き出せるようになる。又、手前側のペダル２７ｂを足で踏み下げると、奥側の係止部材２３’が上昇するので、ケージ台車２００は手前側に引き出せるようになる。又、図５中、２９，３０はケージ台車２００の手前側と奥側に備えた全解除フレームであり、この全解除フレーム２９，３０は、手前側と奥側に備えたペダル３１，３２のいずれかを踏み下げると、例えば取り付けピン２５を上昇させて、手前側の係止部材２３と奥側の係止部材２３’を同時に上昇させられるようになっており、従って、上記全解除フレーム２９，３０を備えて係止部材２３，２３’を同時に上昇させると、洗浄用ケース１００内のケージ台車２００を引き出すことも押し出すこともできるようになる。
【００２８】
前記洗浄用ケース１００の洗浄室６に進入して回転軸１１に連結されたケージ台車２００が図２中破線で示すように回転する回転範囲３３よりも外部の洗浄室６には、前記回転軸１１の軸線Ｓに向かい且つ洗浄室６の上下をカバーするよう狭い噴射角度でカーテン状に洗浄液を噴射する少なくとも１つの噴射ノズル３４を設けている。図１〜図３の例では、機械室７内に設けた高圧ポンプ３５に接続されて前記洗浄室６内の手前側に配置され洗浄室６の上半分に洗浄液を噴射する上側ノズル３４ａと、機械室７内に設けた高圧ポンプ３６に接続されて洗浄室６内の奥側に配置され洗浄室の下半分に洗浄液を噴射する下側ノズル３４ｂとを備えた場合を示している。
【００２９】
更に、前記回転範囲３３の外部には、機械室７内に設けた洗剤液ポンプ３７に接続されて前記回転軸１１の軸線Ｓに向かい且つ洗浄室６の上下をカバーするよう狭い噴射角度でカーテン状に洗剤液を噴射する洗剤液ノズル３８を設けている。
【００３０】
更に、前記回転範囲３３の外部には、機械室７内に設けたブロア３９に接続されて前記回転軸１１の軸線Ｓに向かい且つ洗浄室６の上下をカバーするよう狭い噴射角度でカーテン状に乾燥用エアを噴射するブロアノズル４０を設けている。このとき、前記ブロア３９にヒータ４１を備えるようにすると、加熱した乾燥用エアをブロアノズル４０から噴射させて乾燥を促進させることができる。
【００３１】
前記噴射ノズル３４、洗剤液ノズル３８、ブロアノズル４０によって狭い噴射角度でカーテン状に噴出を行うためには、複数の噴射口を直線上に備えたり、或いはスリット状の噴射口を備えて噴出することができる。図１〜図３中、４２は前記洗浄室６内の空気を外部に排出するための排気口、図３中、４３は機械室７に備えた制御器、４４は洗浄用ケース１００の外面に備えられた操作盤、４５は洗浄用ケース１００の底面２に設けた水抜孔、４６は排水管である。
【００３２】
又、前記ケージ台車２００の篭体１８は、図１に示すように、大きな間隔を有する縦材４７と横材４８によって組み立てられており、縦材４７及び横材４８は、図８、図９に示すように、薄い板材により構成されていおり、前記縦材４７は回転軸１１の軸線Ｓに向かって噴射される洗浄液に対する抵抗が最も小さく、影になる部分が小さくなるように縦材４７の幅方向が回転軸１１の軸線Ｓの放射方向を向くように配置されており、又、横材４８は上下に広がって噴射される洗浄液に対する抵抗が最も小さく、影に部分が小さくなるように傾斜して設けられている。又、前記縦材４７及び横材４８の幅方向端部には、図９に示すように面取りによる曲面部４９が形成されており、洗浄液が衝突した際に乱れを生じないようになっている。
【００３３】
上記形態の作用を説明する。
【００３４】
介護用機器の洗浄を行うには、介護用ベッドはマットレスを取り外し、更に、図１０に示すように、ケージ台車２００の篭体１８内に収容でき、且つ洗浄用ケース１００内に装入できる大きさの部品に分解した介護用機器Ｋを篭体１８内に収容し、又、車椅子、リフト、歩行補助具等の介護用機器はそのまま篭体１８に収容し、又、収容できない場合には分解して収容する。
【００３５】
介護用機器Ｋが収容されたケージ台車２００は、作業員が手で押して走行させ、図２、図１０に示すように、開閉扉３が開けられた洗浄用ケース１００の底面２上にスロープ８を介してＡ方向から進入させる。このとき、前記ケージ台車２００には補助車輪１６’が備えられているのでスロープ８を経て容易に洗浄用ケース１００内へ移動することができる。又、図２の回転駆動機構９の回転軸１１に備えた回転板１２は、その長手方向が前後方向（ケージ台車２００の進入方向Ａ）と平行になるように予め停止している。
【００３６】
図５のケージ台車２００が図２の洗浄用ケース１００内にＡ方向から進入すると、ケージ台車２００の進入方向奥側に備えた誘導板２２’が回転板１２の手前側端部に当接し、誘導板２２’が回転板１２沿って移動することでケージ台車２００の位置と向きが修正され、ガイド板２１の間隔２０が回転板１２の手前側端部に嵌合するようになる。
【００３７】
又、回転板１２にガイド板２１が嵌合する時には、図１１に示すように、奥側の係止部材２３’の傾斜面２３ａが回転板１２の手前側端部に当接し、更に、ケージ台車２００の移動により奥側の係止部材２３’は、図１２に示すように傾斜面２３ａによって回転板１２の端部上面に乗り上げるようになる。このとき、アーム２４は傾斜し、又、奥側の係止部材２３’に連結されている手前側の係合解除フレーム２７はペダル２７ｂが下降するように傾斜する。
【００３８】
更に、ケージ台車２００を進入させると、図１３に示すように奥側の係止部材２３’は回転板１２の上面を滑って移動し、回転軸１１の軸線Ｓ上にケージ台車２００の中心が一致すると、拘奥側の係止部材２３’が回転板１２の奥側端部を通り抜けて支えを無くすことにより、図１４に示ように落下する。これにより、回転板１２の奥側と手前側に係止部材２３，２３’が位置することで、ケージ台車２００の移動は拘束されるようになり、このとき、奥側の係止部材２３’が落下することでアーム２４は水平になり、係合解除フレーム２７は元の水平な状態に戻る。
【００３９】
このように、回転板の長手方向端部に係止部材２３，２３’が係合し且つ、回転板１２の両側面をガイド板２１が挾持することで、図１、図２に示すように、ケージ台車２００は回転軸１１と一体に回転するように連結される。
【００４０】
この状態で開閉扉３を閉塞した後、駆動装置１５を駆動すると、動力伝達材１４及びホイール１３を介して回転軸１１は回転し、回転軸１１の回転は回転板１２と回転板１２を挾持しているガイド板２１によってケージ台車２００に伝えられ、これにより、ケージ台車２００は軸線Ｓを中心として、洗浄用ケース１００の底面２上を図２に破線で示す回転範囲３３において回転する。
【００４１】
ケージ台車２００が回転した状態で、洗剤液ノズル３８から洗剤液を噴射し、ケージ台車２００を所定の回転数だけ回転させると洗剤液が介護用機器に塗布される。このとき、洗剤液ノズル３８が回転軸１１の軸線Ｓに向かい且つ洗浄室６の上下をカバーするようカーテン状に洗剤液を噴射しているので、ケージ台車２００の回転に伴って介護用機器Ｋの表裏に洗浄液が噴射されるようになり、よって、少ないノズル数で影の部分を生じることなく介護用機器に洗剤液を均一に塗布することができる。
【００４２】
続いて、ケージ台車２００を回転した状態で、噴射ノズル３４から洗浄液を噴射し、ケージ台車２００を所定の回転数だけ回転させると、介護用機器の洗浄が行われる。このとき、噴射ノズル３４が回転軸１１の軸線Ｓに向かい且つ洗浄室６の上下をカバーするようカーテン状に洗浄液を噴射しているので、ケージ台車２００の回転に伴って介護用機器Ｋの表裏に洗浄液が噴射されるようになり、よって、少ないノズル数で影の部分による洗い残しや洗浄ムラを生じることなく介護用機器を均一に洗浄することができる。
【００４３】
続いて、ケージ台車２００を回転した状態で、ブロアノズル４０から乾燥用エアを噴射し、ケージ台車２００を所定の回転数だけ回転させると、介護用機器の乾燥が行われる。このとき、ブロアノズル４０が回転軸１１の軸線Ｓに向かい且つ洗浄室６の上下をカバーするようカーテン状に洗浄用エアを噴射しているので、ケージ台車２００の回転に伴って介護用機器Ｋの表裏に乾燥用エアが噴射されるようになり、よって、介護用機器を影の部分を生じることなく均一に乾燥させることができる。
【００４４】
洗浄作業が終了すると、洗浄用ケース１００の奥側の開閉扉３を開けて、図５の奥側のペダル２８ｂを足で踏み下げると、奥側の係合解除フレーム２８が支点２６を中心に回動することで連結部材２８ａを介し手前側の係止部材２３が上昇されて回転板１２の手前側端部から外れるので、ケージ台車２００を進行方向と同じ奥側に引き出すことができる。又、手前側のペダル２７ｂを足で踏み下げると、奥側の係止部材２３’を上昇させてケージ台車２００を手前側に引き出すこともできる。更に、図５示すように全解除フレーム２９，３０を備えた全て係止部材２３，２３’を同時に上昇させられるようにすると、ケージ台車２００を洗浄用ケース１００から引き出して取り出すことができると共に、ケージ台車２００を洗浄用ケース１００から押し出して取り出すこともできる。
【００４５】
前記制御器４３は、前記洗浄液の塗布、洗浄液による洗浄、乾燥用エアによる乾燥の操作が、操作盤４４に対する入力によってケージ台車２００の回転時間又は回転数で設定できるようにしてあり、又、前記回転軸１１の回転が停止する際には、回転板１２の長手方向の向きが常にケージ台車２００の進入方向と並行を保持して停止するようになっている。又、前記開閉扉３が閉止されないとケージ台車２００は回転できないようになっている。
【００４６】
上記した介護用機器の洗浄装置によれば、介護用機器Ｋを篭体１８に収容したケージ台車２００を自在車輪により走行させて洗浄用ケース１００内に進入させると、ケージ台車２００に備えた係脱機構１９のガイド板２１と係止部材２３，２３’が洗浄用ケース１００に備えた回転駆動機構９の回転板１２に係合してケージ台車２００は回転軸１１に連結されるので、駆動装置１５を駆動すると回転軸１１の回転が回転板１２及びガイド板２１を介してケージ台車２００に伝えられる。従って、ケージ台車２００は自身に備えた自在車輪１６によって回転軸１１を中心に底面２上を回転するようになりため、回転のための機構を簡略なものとすることができる。更に、ケージ台車２００を回転しつつ噴射ノズル３４により洗浄液を噴射すると、洗浄液は回転軸１１の軸線Ｓに向かい且つ洗浄室６内の上下をカバーするようにカーテン状に噴射されるので、少ないノズル数で介護用機器に影の部分による洗い残しや洗浄ムラを生じさせることなく効果的な洗浄を行うことができる。
【００４７】
更に、前記ケージ台車２００を複数台備えておくことにより、各ケージ台車２００の篭体１８に介護用機器Ｋを収容する作業を洗浄作業と切離して事前に行うことにより洗浄の準が終了したものを予め複数台用意しておくことができ、よって、ケージ台車２００を洗浄用ケース１００内に進入させて洗浄する作業を連続して行うことができ、従来のように、介護用機器を洗浄用ケース内に挿入して洗浄を行った後、洗浄が終了した介護用機器を洗浄用ケース内から取り出す作業を行うようにしている方式に比して、作業能率を大幅に向上させることができる。
【００４８】
尚、本発明の介護用機器の洗浄装置は、上述の実施例にのみ限定されるものではなく、本発明の要旨を逸脱しない範囲内において種々変更を加え得ることは勿論である。
【符号の説明】
【００４９】
１  底部フレーム
２  底面
３  開閉扉
６  洗浄室
７  機械室
９  回転駆動機構
１１  回転軸
１２  回転板
１５  駆動装置
１６  自在車輪
１７  台フレーム
１８  篭体
１９  係脱機構
２１  ガイド板
２３，２３’  係止部材
２７  係合解除フレーム
２８  係合解除フレーム
３４  噴射ノズル
３８  洗剤液ノズル
４０  ブロアノズル
１００  洗浄用ケース
２００  ケージ台車
Ｋ      介護用機器
Ｓ      軸線
【図１】
2011067722.tif 000003
【図２】
2011067722.tif 000004
【図３】
2011067722.tif 000005
【図４】
2011067722.tif 000006
【図５】
2011067722.tif 000007
【図６】
2011067722.tif 000008
【図７】
2011067722.tif 000009
【図８】
2011067722.tif 000010
【図９】
2011067722.tif 000011
【図１０】
2011067722.tif 000012
【図１１】
2011067722.tif 000013
【図１２】
2011067722.tif 000014
【図１３】
2011067722.tif 000015
【図１４】
2011067722.tif 000016